(57)【要約】セルフアライニングの動的なクリアランスシールアセンブリ（２０）が開示され、これは、固定ケーシング（２３）、可動部材（２４）、固定ケーシングと可動部材との間に円周方向に配置されたハウジング部材（２６）、ハウジング部材と可動部材との間に円周方向に配置されたシール部材（２５）、２つのエラストマーシール（２１、２２）を含む。第１のエラストマーシールは、シール部材と固定ケーシングとの間のギャップへの流体の流れを防止する。第２のエラストマーシールは、圧縮された場合ハウジング部材がシール部材に対して付勢するのを防止する。シール部材、可動部材は、流体がギャップを満たすことを許すが、流体がギャップを通して開口部の第１の側と第２の側との動作圧力差下で第１の側から第２の側へ流れるのを防止するようなサイズを有する連続的かつ一様のギャップを画定する。セルフアライニングのシールアセンブリを利用したポンプも開示される。
2011520073.tif 000002
【特許請求の範囲】
【請求項１】
セルフアライニングのクリアランスシールアセンブリであって、
該アセンブリは、
（ａ）第１の側、第２の側、および該第１の側と該第２の側とを接続する開口部を画定する固定ケーシングと、
（ｂ）外壁を有する可動部材であって、該可動部材は該開口部を通して可動なように配置される、可動部材と、
（ｃ）内壁を有するハウジング部材であって、該ハウジング部材は該ハウジング部材に凹部を形成する隆起部を有し、該ハウジング部材は該固定ケーシングと該可動部材との間に円周方向に配置される、ハウジング部材と、
（ｄ）内壁、外壁、上面および底面を有するシール部材であって、該シール部材は該ハウジング部材と該可動部材との間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該ハウジング部材の内壁および該シール部材の外壁は第１のギャップを画定し、
該第１のエラストマーシールは流体が該第１のギャップへ流れ込むのを防止し、
該第２のエラストマーシールは、圧縮される場合、該ハウジング部材の隆起部が該シール部材の底面に対して付勢するのを防止する、アセンブリ。
【請求項２】
請求項１に記載のセルフアライニングのクリアランスシールアセンブリであって、
前記シール部材は前記第１のエラストマーシールと前記第２のエラストマーシールとの間に浮遊し、前記可動部材とセルフアラインする、アセンブリ。
【請求項３】
請求項１に記載のセルフアライニングのクリアランスシールアセンブリであって、
前記シール部材の内壁および前記可動部材の外壁は、アセンブルされる場合、連続的かつ一様の第２のギャップを画定し、
該第２のギャップは、前記流体が該第２のギャップを満たすことを許すが、該流体が該第２のギャップを通して、前記開口部の前記第１の側と前記第２の側との間の動作圧力差下で該第１の側から該第２の側へ流れるのを防止するサイズを有し、
該第２のギャップのサイズは、該動作圧力差下で実質的に変化せず維持する、アセンブリ。
【請求項４】
請求項１に記載のセルフアライニングのクリアランスシールアセンブリであって、
前記第２のギャップは約０．７５ミクロンから約２．０ミクロンのサイズに及ぶ、アセンブリ。
【請求項５】
請求項１に記載のセルフアライニングのクリアランスシールアセンブリであって、
前記動作圧力差は約３５０ｋＰａ未満である、アセンブリ。
【請求項６】
請求項１に記載のセルフアライニングのクリアランスシールアセンブリであって、
前記第２のエラストマーシールは、圧縮されない本体部分の直径と圧縮された本体部分の直径とを有し、
該圧縮された直径の該圧縮されない直径に対する比は約０．６５から約０．８５に及ぶ、アセンブリ。
【請求項７】
請求項１に記載のセルフアライニングのクリアランスシールアセンブリであって、
前記ハウジング部材の隆起部は高さを有し、
前記第２のエラストマーシールは圧縮されない本体部分の直径を有し、
該高さの該圧縮されない直径に対する比は約０．５０から約０．７０に及ぶ、アセンブリ。
【請求項８】
ポンプ内に含まれる、請求項１に記載のセルフアライニングのクリアランスシールアセンブリ。
【請求項９】
ポンプであって、該ポンプは、
（ａ）流体を含むための圧力チャンバーを画定する内壁を有する固定ケーシングと、
（ｂ）外壁を有するピストンであって、該ピストンは該チャンバー内で可動なように配置される、ピストンと、
（ｃ）隆起部を有するハウジング部材であって、該隆起部は該ハウジング部材に凹部を形成し、該ハウジング部材は該固定ケーシングと該ピストンとの間に円周方向に配置される、ハウジング部材と、
（ｄ）内壁、外壁、上面および底面を有するシール部材であって、該シール部材は該ハウジング部材と該ピストンとの間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該シール部材は該第１のエラストマーシールと該第２のエラストマーシールとの間に浮遊し、該ピストンとセルフアラインする、ポンプ。
【請求項１０】
前記シール部材はセラミック材料で作製される、請求項９に記載のポンプ。
【請求項１１】
前記流体は水または緩衝水溶液を含む、請求項９に記載のポンプ。
【請求項１２】
前記第１のエラストマーシールおよび前記第２のエラストマーシールはそれぞれ環状のエラストマーシール（Ｏリング）である、請求項９に記載のポンプ。
【請求項１３】
ポンプであって、該ポンプは、
ハウジングであって、該ハウジングは可動部材を受容するサイズにされた内壁と該ハウジングの該内壁に配置された溝とを含み、該溝は上位面と下位面とを有する、ハウジングと、
上面と底面を含むシール部材であって、該シール部材は該溝内に配置される、シール部材と、
該溝の該上位面と該シール部材の該上面との間に配置される第１のエラストマーシールであって、該第１のエラストマーシールは該溝の該上位面と該シール部材の該上面との間に上位のギャップを形成するように構成される、第１のエラストマーシールと、
該溝の該下位面と該シール部材の該底面との間に配置される第２のエラストマーシールであって、該第２のエラストマーシールは該溝の該下位面と該シール部材の該底面との間に下位のギャップを形成するように構成される、第２のエラストマーシールと
を備え、
該シール部材は該第１のエラストマーシールと該第２のエラストマーシールとの間に浮遊し、該可動部材とセルフアラインする、ポンプ。
【請求項１４】
請求項１３に記載のポンプであって、
前記溝は前記ハウジング内に円周方向に配置される後壁をさらに有し、
前記シール部材は外壁をさらに含み、
該溝の該後壁および該シール部材の該外壁は外側のギャップを画定し、
前記第１のエラストマーシールは流体が該外側のギャップへ流れ込むのを防止する、ポンプ。
【請求項１５】
請求項１３に記載のポンプであって、
前記可動部材はピストンであり、
該ピストンは外壁を含み、
該ピストンは前記ハウジングの内壁内に可動なように配置され、
前記シール部材は内壁をさらに含み、
該シール部材の該内壁および該ピストンの該外壁は、アセンブルされる場合、内側のギャップを画定し、
該内側のギャップは、流体が該内側のギャップを満たすことを許すが、該流体が該内側のギャップを通して、動作圧力差下で該ハウジングの一端から他端へ流れるのを防止するサイズを有する、ポンプ。
【請求項１６】
請求項１５に記載のポンプであって、前記内側のギャップは約０．７５ミクロンから約２．０ミクロンのサイズに及ぶ、ポンプ。
【請求項１７】
請求項１５に記載のポンプであって、前記動作圧力差は約３５０ｋＰａ未満である、ポンプ。
【請求項１８】
請求項１３に記載のポンプであって、
前記ハウジングは固定ケーシングおよびハウジング部材を含み、
該ハウジング部材は該固定ケーシングの内側に円周方向に配置され、
前記第１のエラストマーシールは前記シール部材の上面と該固定ケーシングとの間に装着され、
前記第２のエラストマーシールは前記シール部材の底面と該ハウジング部材との間に装着される、ポンプ。
【請求項１９】
請求項１８に記載のポンプであって、
前記ハウジング部材は該ハウジング部材に凹部を形成する隆起部を有し、
前記第２のエラストマーシールの圧縮されない本体部分の直径に対する、該ハウジング部材の該隆起部の高さの比は約０．５０から約０．７０に及ぶ、ポンプ。
【請求項２０】
請求項１３に記載のポンプであって、
前記第２のエラストマーシールの圧縮されない本体部分の直径に対する、該第２のエラストマーシールの圧縮される本体部分の直径の比は約０．６５から約０．８５に及ぶ、ポンプ。
【発明の詳細な説明】
【技術分野】
【０００１】
（関連出願の相互参照）
本出願は、２００８年４月３０日出願の米国出願第６１／０４９，４００号の利益を主張し、当該出願全体は本明細書において参照により援用される。
【０００２】
（発明の分野）
本発明は一般的に、往復運動する部材とそのハウジングとの間の流体タイトな動的なシールに関する。より詳細には、本発明は、セルフアライニングの動的なクリアランスシール、およびそのようなシールを利用するピストンポンプのような流体移動機器に向けられる。
【背景技術】
【０００３】
（発明の背景）
流体ポンプ、スラリーポンプ、ドライミキサー、および数多くの他の装置などの多種多様な流体移動機器では、スライドするプランジャー、ロッド、ピストン、あるいは別の類似の部材が、固定ベアリングの中で相互に動く。典型的には、可動部材の周りの流体の漏れはシール構造を利用することにより防止される。シール構造の材質は、可動部材がシール構造の軸方向の開口部を前後にスライドできるよう、幾らかの弾力性およびある程度の剛性をも有すること、および可動部材の周りの流体の漏れを防止するのに、あるいはその漏れを少なくとも最小化するのに十分にタイトであることをも要する。
【０００４】
従来のシール構造の一類型は、機械的な面シールである。典型的には、機械的な面シールは、ドライブシャフトと共に回転する１つのシールリングと、周囲のハウジングに装着された１つの固定シールリングとから成る。２つのシールリングは付勢力によって相互に押し付けられ、このようにして、流体がそれらの間を通過するのを防止する。例えば、特許文献１、特許文献２および特許文献３は付勢力を提供するためにバネを有したシールを記載する。通常、各リングをシャフトまたはハウジングからシールするために、それぞれ対応した追加的なエラストマー部品が要求される。典型的には、乾燥摩擦による損傷を防止するためにシール表面間に薄い潤滑膜が要求される。それにもかかわらず、時間の経過とともに、摩耗と振動はシールリングの合わせ面に引っかき傷を付けさせ、プロセス流体の漏れを引き起こす。プロセス流体が研磨性であるか凝固剤を含む環境は、特に、従来型のシールに損傷を与え、その頻繁な交換を要する。
【０００５】
同様に、特許文献４は、プランジャーを周回する複数の金属リングを含み、リングとプランジャーとの間に予め決定されたクリアランスを有して配置された、往復運動するプランジャーパッキンを開示する。リングはプランジャーの動作中にそのクリアランスを殆ど閉じるように圧力下で収縮するよう設計される。流体の圧力が各リングに掛かった場合、リングは閉塞するか、またはプランジャー上で収縮し、ひいてはリングとプランジャーとの間の初期クリアランスを低減する。流体がパッキンを通過するのを効果的に低減するのに必要とされる圧力は、金属リングとプランジャーとの間に高い摩擦を引き起こし、リングとプランジャーの両方に損傷を与える。
【０００６】
パックされたスタッフィングボックスは、可動部材用の従来型シールの別の例である。この型のシールは、例えば、特許文献５および特許文献６で開示されている。一般的に、パッキンは、流体がパッキンを通過するのを制限するために十分に圧縮されるが、パッキンと可動部材との間に過度な摩擦を生じるほどには圧縮されない。圧力は一般的に、パッキンを通過する漏れが最小化される点まで、ただしパッキンとシャフトとの間の摩擦がパッキンの過熱を生じる手前の点まで、スタッフィングボックス上のグランドを手動で締め付けることによって、パッキン上に維持される。このような構成は、漏れがゼロというよりも寧ろ周囲環境への漏れが制御されるという主義において運転する。しかしながら、これは頻繁な調整を要し、過剰な締め付けは、パッキンへ過度な摩擦および熱増加、過度な摩耗を、そして可動部材への損傷の可能性すら引き起こす。パッキンへの圧力が適正に調整される場合でも、流体がパッキンを通過するのを最小化するのに必要な圧力は、パッキンとシャフトとの間に比較的高い摩擦を生じる。その結果、パッキンは急速に摩耗し尽くし、頻繁な交換を要する。
【０００７】
パックされたシールの１つの可能な代案は、特許文献７に記載されており、シリンダー状ハウジング構造内に装着され、ハウジング構造と可動ピストンとの間に円周方向に配置されたシール部材を含むクリアランスシールアセンブリを開示している。図１を参照すると、シール部材４は固定ケーシング３およびハウジング部材５と流体タイトな関係を有する。この流体タイトな関係は、シール部材と固定ケーシングとの間のトップを通る流体の漏れを防止するためにシール部材のトップ上に装着されるエラストマーのＯリング１を有することによって達成される。Ｏリングが圧縮された場合、シール部材はハウジング部材の表面に固定され、これにより流体の流れを防止する。シール部材とピストン２との間のかなりタイトなクリアランスに起因し、シール部材の軸の位置とピストンは互いに緊密にアラインしていなければならない。しかしながら、ピストンはまた、ピストン用のガイドとして機能するハウジングのボアとアラインしていなければならない。これらの２つの軸のアライメントがずれた場合、ピストンの動きの束縛は、ピストンの動きを駆動する駆動ベルトに損傷を与えることになる。ピストンのシール部材への束縛を削減するためにかなり低い許容誤差が要求されるから、これらのシールアセンブリの大多数は品質管理に失敗し易く、これにより大規模な商業規模で製造することを非現実的にする。
【０００８】
以上のように、先行技術のシール構造は、可動部材とそのハウジングとの間の信頼性があって長持ちするシールを提供しない。従来型のシールは通常運転中に多くの摩耗を受けて頻繁に交換されなければならず、機器の予防的な保守をより面倒にし、その保守コストを増大させる。クリアランスシールは時折かなり高度な製造規格を要求し、量産をコスト高で非現実的にする。
【先行技術文献】
【特許文献】
【０００９】
【特許文献１】米国特許第３，２８２，２３５号明細書
【特許文献２】米国特許第４，７５４，９８１号明細書
【特許文献３】米国特許第５，７７２，２１７号明細書
【特許文献４】米国特許第３，３４８，８４９号明細書
【特許文献５】米国特許第３，６５９，８６２号明細書
【特許文献６】米国特許第５，３３３，８８３号明細書
【特許文献７】米国特許第６，８４３，４１８号明細書
【発明の概要】
【課題を解決するための手段】
【００１０】
従って、先行技術のシールの望ましくない特徴を回避する改善された動的なシールを提供することが本発明の目的である。特に、低い摩耗を有し、比較的低いコストで生産され得、優れた実用性能を提供する動的なシールを提供することが本発明の目的である。このような比較的低い保守コストおよび高い信頼性を有するシールを利用する好都合な流体移動装置を提供することが本発明のさらなる目的である。
【００１１】
これらおよび他の目的は、本発明のセルフアライニングの動的なクリアランスシールアセンブリで達成される。アセンブリは、第１の側、第２の側および第１の側と第２の側とを接続する開口部を画定する固定ケーシングと；外壁を有し、開口部を通して可動なように配置される可動部材と；内壁を有するハウジング部材であって、ハウジング部材は、ハウジング部材に凹部を形成する隆起部を有し、固定ケーシングと可動部材との間にハウジング部材が円周方向に配置される、ハウジング部材と；内壁、外壁、上面、および底面を有するシール部材であって、ハウジング部材と可動部材との間にシール部材が円周方向に配置される、シール部材と；固定ケーシングとシール部材の上面との間に配置される第１のエラストマーシールと；ハウジング部材とシール部材の底面との間で凹部内に配置される第２のエラストマーシールとを含む。第１のエラストマーシールは、シール部材とハウジング部材との間のギャップへの流体の流れを防止する。第２のエラストマーシールは、圧縮される場合、ハウジング部材の隆起部がシール部材の底面に対して付勢するのを防止する。シール部材および可動部材は、流体がギャップを満たすことを許すが、流体がギャップを通して開口部の第１の側と第２の側との動作圧力差下で第１の側から第２の側へ流れるのを防止するようなサイズを有する、連続的かつ一様のギャップを画定する。このギャップのサイズは動作圧力差下で実質的に変化せず維持する。
【００１２】
別の側面では、本発明は、本発明のクリアランスシールアセンブリを利用するポンプを提供する。ポンプは、流体を含むための圧力チャンバーを画定する内壁を有する固定ケーシングと；外壁を有するピストンであって、圧力チャンバー内でピストンが可動なように配置される、ピストンと；内壁を有するハウジング部材であって、ハウジング部材は、ハウジング部材に凹部を形成する隆起部を有し、固定ケーシングとピストンとの間にハウジング部材が円周方向に配置される、ハウジング部材と；内壁、外壁、上面、および底面を有するシール部材であって、ハウジング部材とピストンとの間にシール部材が円周方向に配置される、シール部材と；固定ケーシングとシール部材の上面との間に配置される第１のエラストマーシールと；ハウジング部材とシール部材の底面との間で凹部内に配置される第２のエラストマーシールとを含む。第１のエラストマーシールは、シール部材とハウジング部材との間のギャップへの流体の流れを防止する。第２のエラストマーシールは、圧縮される場合、ハウジング部材の隆起部がシール部材の底面に対して付勢するのを防止する。シール部材およびピストンは、流体がギャップを満たすことを許すが、流体が動作圧力差下で圧力チャンバーからチャンバーの外側へ流れるのを防止するようなサイズを有する、連続的かつ一様のギャップを画定する。このギャップのサイズは動作圧力差下で実質的に変化せず維持する。
【００１３】
シール部材と可動部材との間の直接的な接触を排除することによって、本クリアランスシールアセンブリは、上述された従来型のシールに関連する多くの問題を軽減する。特に、本アプローチの利点は、部分の最小限の摩耗、簡素化されるアセンブリと保守、著しく改善される信頼性、および減少される保守コストを含む。本発明のクリアランスシールは、流体の引き込み、移動、および吐き出しを要するあらゆる装置またはシステム内で利用され得る。本発明は特に、分析機器内で利用される高精度のポンプにおける使用に有利であり得る。例えば、本発明に従って製造されたクリアランスシールを有するピストンポンプは、米国特許第６，８２５，０４１号で開示され、本発明の譲受人と同一人に譲渡され、関連する部分は本明細書において参照により援用される、Ｎｅｘｇｅｎ  Ａｃｃｅｓｓ  Ｓｙｓｔｅｍ（Ｂｅｃｋｍａｎ  Ｉｎｓｔｒｕｍｅｎｔｓ，Ｃａｌｉｆ．）におけるサンプルの吸い込みおよび吐き出し用に有益に利用され得る。
【００１４】
本発明はまた、シール部材の底面上への追加的なエラストマーシールの革新的な使用を通して、米国特許第６，８４３，４８１号で開示された先行のクリアランスシール設計の問題を克服する。この追加的なエラストマーシールの目的は、流体をシールするのではなく、両方のシールが協調してシール部材のためのサスペンションとして作用できるように、第１のエラストマーシールに対するカウンターバランスとして作用することである。これは、第１のエラストマーリングがシール部材と固定ケーシングとの間に流体が流れるのを防止するという機能を達成することを可能にする十分な圧力を第１のエラストマーリングに対して維持しながら、ハウジングの軸とシール部材の軸との間のアライメント不良に適応するのに十分に、シール部材が浮遊することを可能にする。シール部材が浮遊することができる距離は、シール部材が平常位置から離れて動くほど、より拘束力がシール部材へ及ぼされるので制限される。あまりに大きい動きはムラのある吐き出しの結果となるので、これは重要である。このセルフアライニングのクリアランスシール設計のテストは、米国特許第６，８４３，４８１号で開示されたオリジナルのクリアランスシール設計よりも機能性および信頼性における多大な改善を示した。例えば、困難な容積の吐き出しにおける初回合格品の量は、セルフアライニングのクリアランスシール設計の使用によって２８％から８８％へ改善した。
【図面の簡単な説明】
【００１５】
本発明の上述および他の特徴およびそれらの会得方法は、添付の図面と共に以下の記載へ参照することによってより明確になり、最も理解される。
【図１】図１Ａは、米国特許第６，８４３，４８１号で開示されたクリアランスシールの断面図である。図１Ｂは、可動部材およびハウジング部材の断面図を伴った、シール部材の側面図である。図１Ｃは、可動部材の断面図を伴った、シール部材の上面図である。
【図２】図２Ａは、本発明の一実施形態に従ったクリアランスシールの断面図である。図２Ｂは、可動部材およびハウジング部材の断面図を伴った、シール部材の拡大された側面図である。図２Ｃは、可動部材の断面図を伴った、シール部材の上面図である。
【図３】図３は、本発明の一実施形態に従った、シール部材とハウジング部材との間の凹部の拡大された断面図である。
【発明を実施するための形態】
【００１６】
（発明の詳細な説明）
別なふうに定義される場合を除いては、本明細書において使用されるすべての技術的および科学的用語は、本発明が属する分野における通常の技術を有する者により一般に理解されるのと同一の意味を有する。本明細書において参照されるすべての特許、特許出願（公開、または未公開）および他の刊行物は、その全体が参照により援用される。本節中で規定される定義が、本明細書において参照により援用される特許、出願、公開された出願および他の刊行物に規定された定義と矛盾するか、あるいは整合しない場合、本節中で規定される定義が、本明細書において参照により援用される定義に優先する。
【００１７】
刊行物または文書の引用は、そのような刊行物または文書のいずれも関連する先行技術であるとの自認を意図しておらず、また、これらの刊行物または文書の内容または日付へのいかなる自認をも構成しない。
【００１８】
本明細書において使用される場合、「ａ」または「ａｎ」は「少なくとも１つ」または「１つ以上」を意味する。
【００１９】
本明細書において使用される場合、「セルフアライニング」の用語は、所望の連結を成すのに要求される人為的操作によるいかなるアライメントも無しに、２つ以上の部品が相互に結合され得るアセンブリの特徴を指す。
【００２０】
本明細書において使用される場合、「流れ」の用語は、高圧の領域と低圧の領域との間の圧力差（例えば、ポンプの内側の動作中の流体の圧力とポンプの外側の大気圧との間の差）によって引き起こされる、流体の方向性のある移動を指す。本明細書において使用される「漏れ」の用語は、可動部材の往復運動によって、および静電力、毛管引力および／またはファンデルワールス力に起因した、固体の構造要素の壁への流体の付着によって引き起こされる流体の移動を指す。
【００２１】
本明細書において使用される場合、「粘度」の用語は、せん断応力または伸長応力のいずれかにより変形されることに対する流体の抵抗の測度を指す。粘度は流れに対する流体の内部抵抗を記載し、時には流体摩擦の測度であると考えられる。従って、水およびエタノールは比較的低い粘度を有するとみなされるが、グリセリンおよびメープルシロップは比較的高い粘度を有するとみなされる。流体の粘度は通常、圧力に依存せず（かなりの高圧を除く）、温度が上昇するにつれて低下する傾向にある。例えば、水の粘度は、水温が０℃から１００℃に上昇すると、１．７９センチポアズ（ｃＰ）から０．２８ｃＰへ降下する。温度Ｔ（Ｋ）の関数として、水の粘度は以下のように決定され得る。すなわち、μ（Ｐａ・ｓ）＝Ａ×１０Ｂ／（Ｔ−Ｃ）、ここで、Ａ＝２．４１４×１０−５Ｐａ・ｓ、Ｂ＝２４７．８Ｋ、およびＣ＝１４０Ｋ［１ｃＰ＝１０−３Ｐａ・ｓ］。室温（２０℃）では、水の粘度は１．００３ｃＰである。
【００２２】
本明細書において使用される場合、２つの構造要素間の「流体タイトな関係」の用語は、流体がこれらの要素間を通過できないことを意味する。いかなるシール方法も、信頼性のあるシールを提供する限り、流体タイトな関係を達成するために使用され得ると解される。
【００２３】
本明細書において使用される場合、「流体が流れるのを防止する」の用語は、シールを流れて通過する流体の容積が、シールを含むポンプによる吐き出し精度に顕著な悪影響を有しない程度に十分に少ないことを意味する。あるいは、本明細書において使用される場合、「流体が流れるのを防止する」の用語は、シールを流れて通過する流体の量が肉眼で検出できるには少な過ぎることを意味する。
【００２４】
本明細書において使用される場合、２つの構造要素間の「連続的なギャップ」の用語は、これらの要素間に直接的な接触点が無いことを意味する。２つの構造要素間の「一様のギャップ」の用語は、これらの要素間の距離がその間に形成される液圧シールを損なうほどには顕著に変化しないことを意味する。従って、本明細書において使用される「連続的かつ一様のギャップ」の用語は、直接的な接触点が無く、要素間の距離がその間に形成される液圧シールを損なうほどには顕著に変化しないような、２つの構造要素間の空間的関係を指す。
【００２５】
本明細書において使用される場合、「実質的に変化せず」の用語は、問題の属性における、約５０％未満、好ましくは約４０％未満、より好ましくは約３０％未満、より好ましくは約２０％未満、および最も好ましくは約１０％未満の変化を指す。従って、「第２のギャップのサイズは動作圧力下で実質的に変化せず」との文言は、一般的に、動作中の第２のギャップのサイズは動作前の第２のギャップのサイズから約５０％より大きく逸脱しないことを意味する。
【００２６】
本明細書において使用される場合、「実質的に円形」の用語は、真円に加えて、真円に近いが、製造プロセスなどの精度におけるばらつきに起因して真円から変形された形を含む。より定量的な用語では、「実質的に円形」の用語は、短軸の長さＡの、長軸の長さＢに対する比が約１．０以下かつ約０．８以上（すなわち０．８≦Ａ／Ｂ≦１．０）であることを意味する。
【００２７】
先行して開示された、単一のエラストマーＯリングを利用したクリアランスシールアセンブリ（米国特許第６，８４３，４８１号を参照）が図１に示されている。図１Ａを参照すると、クリアランスシールアセンブリ１０を有するピストンポンプは、ポンプされる流体を含むための圧力チャンバー９を画定する内壁８を有する固定ケーシング３を含む。ピストン２は、圧力チャンバー９内で可動なように配置され、シリンダー状ハウジング部材５は、ピストンを支持するために固定ケーシング３とピストン２との間に円周方向に配置される。シール部材４は、ハウジング部材５とピストン２との間に円周方向に配置され、固定ケーシング３と流体タイトな関係を有する。図１Ａおよび図１Ｂを参照すると、シール部材４と固定ケーシング３との間の流体タイトな関係は、典型的には、ケーシングとシール部材との間に取り外し可能なように装着される、Ｏリング１のような環状のエラストマーシールを利用することによって達成される。Ｏリング１が圧縮される場合、それは固定ケーシング３とシール点１１Ａを、およびシール部材４とシール点１１Ｂを形成し、ひいては流体がケーシングとシール部材との間に流れるのを防止する。図１Ａおよび図１Ｃを参照すると、シール部材４の内壁７およびピストン２の外壁６は、連続的かつ一様のギャップ１２を画定する。ギャップ１２は、流体がギャップを満たすことを許すが、流体がギャップを通して動作流体圧力下で圧力チャンバーからチャンバーの外側へ流れるのを防止するようなサイズを有する。
【００２８】
しかしながら、先に説明したように、シール部材４とピストン２との間のかなりタイトなクリアランスに起因し、ハウジングの縦軸とシール部材の縦軸との間のアライメント不良は、ピストン２のシール部材４への係合を頻繁に引き起こし、ピストンの動作を及ぼす駆動ベルトへの損傷の原因となる。ピストン２のシール部材４への頻繁な係合を削減するためにかなり低い許容誤差が要求されるから、かなりの割合のシールアセンブリは品質管理に失敗し、これにより大規模な商業規模でこの種のシールを製造することを非現実的にする。
【００２９】
本発明は、シール部材の底面に取り外し可能な追加的なエラストマーシールを利用した、浮遊する、セルフアライニングのクリアランスシールを提供することによって効果的にこれらの問題を克服する。この第２のエラストマーシールの目的は、流体をシールするのではなく、両方のシールが協調してシール部材のためのサスペンションとして作用できるように、第１のエラストマーシールに対するカウンターバランスとして作用することである。これは、反対側のエラストマーシールがシール部材と固定ケーシングとの間に流体が流れるのを防止するという機能を達成することを可能にする十分な圧力を反対側のエラストマーシールに対して維持しながら、ハウジングの軸とシール部材の軸との間のいかなるアライメント不良にも適応するのに十分に、シール部材が浮遊することを可能にする。
【００３０】
本発明のクリアランスシールアセンブリは、開口部を有する固定部材と、開口部を通して往復運動する可動部材とを有する固定部材を有するあらゆる装置に関連して使用され得ると理解されるべきである。このような装置の例は、幅広い適用領域において使用される、吐き出しポンプ、スラリーポンプ、およびインペラーポンプを含むが、これに限定されない。可動部材は、例えば、スライドするプランジャー、ロッド、またはピストンであり得る。本発明の特定の構成は、異なった、あるいは改変された形態をとり得るが、ピストンポンプは本発明をより詳細に例示するのに使用される。
【００３１】
図２Ａを参照すると、クリアランスシールアセンブリ２０を有するピストンポンプは、ポンプされる流体を含むための圧力チャンバー３０を画定する内壁３２を有する固定ケーシング２３を含む。ピストン２４は、圧力チャンバー３０内で可動なように配置され、シリンダー状ハウジング部材２６は、ピストンを支持するために固定ケーシング２３とピストン２４との間に円周方向に配置される。前述のように、シール部材２５は、ハウジング部材２６とピストン２４との間に円周方向に配置される。前述のように、シール部材２５は固定ケーシング２３と流体タイトな関係を有し、そのような関係は、シール部材２５とケーシング２３との間に取り外し可能なように装着される、Ｏリング２１のような第１の環状のエラストマーシールを有することによって達成される。第１のシール２１が圧縮される場合、それはケーシング２３とシール点３５Ａを、およびシール部材２５とシール点３５Ｂを形成し、ひいては流体がケーシングとシール部材との間に流れるのを防止する。流体が固定ケーシング２３とシール部材２５との間に流れるのを防止する限り、第１のシール２１の正確な位置は重要でない。図２Ａおよび図２Ｃを参照すると、シール部材２５の内壁３４およびピストン２４の外壁３１は、連続的かつ一様のギャップ３３を画定する。ギャップ３３は、流体がギャップを満たすことを許すが、流体がギャップを通して動作流体圧力下で圧力チャンバーからチャンバーの外側へ流れるのを防止するようなサイズを有する。図２Ａおよび図２Ｂを参照すると、本発明のハウジング部材２６は、ハウジング部材とシール部材２５との間に凹部３６を形成する隆起部２７を有する。Ｏリング２２のような第２の環状のエラストマーシールは、隆起部２７がシール部材２５に接触するようになって付勢するのを防止するために、ハウジング部材２６とシール部材２５との間で凹部３６内に取り外し可能なように装着される。シール部材２５とハウジング部材２６との間で凹部３６内に装着される第２のＯリング２２を有することによって、シール部材は追加的な自由度が与えられ、ひいてはそれ自身と可動ピストン２４との間により効果的なアライメントを促し、これら２つの構造要素間の束縛を防止する。
【００３２】
図３を参照すると、米国特許第６，８４３，４８１号で開示されたクリアランスシールから本発明を区別する主要な要素は、シール部材２５とハウジング部材２６との間に装着されるＯリング２２のような第２のエラストマーシールと、ハウジング部材２６内に凹部３６を形成する隆起部２７とであり、当該凹部は隆起部２７がシール部材２５に対して付勢するのを防止するために第２のＯリング２２を収容することを可能にする。第２のＯリング２２は、例えば、合成ゴム、熱可塑性材などの、あらゆる適当な弾性材料で作製され得る。隆起部２７の高さは、第２のＯリング２２の本体部分の直径に関係して注意深く調整されなければならず、そのような調整により、第２のＯリング２２が圧縮される場合、シール部材２５が隆起部２７に接触することにならず、第２のＯリング２２のトップ上に浮遊し続ける。隆起部２７の高さｈと第２のＯリング２２の本体部分の圧縮されない直径ｄとの間の所望の比は、通常、第２のＯリング２２が作製される原材料の硬さに依存する
ことは、当業者によって理解されよう。しかるに、１つの実施形態において、第２のＯリング２２は圧縮された本体部分の直径ｄ’を有し、圧縮されない直径ｄに対する圧縮された直径ｄ’の比は約０．６０と約０．９０の間、より好ましくは約０．６５と約０．８５の間、および最も好ましくは約０．６８と約０．７８の間の範囲にある。従って、隆起部２７は、好ましくは第２のＯリング２２の本体部分の圧縮されない直径の約０．４０と０．７５の間、より好ましくは第２のＯリング２２の本体部分の圧縮されない直径の約０．５０と０．７０の間、および最も好ましくは第２のＯリング２２の本体部分の圧縮されない直径の約０．５５と０．６５の間の範囲の高さを有する。しかしながら、他の、隆起部の高さと第２のＯリング２２の本体部分の圧縮されない直径との間の比（ｈ／ｄ）および第２のＯリング２２の本体部分の圧縮された直径と圧縮されない直径との間の比（ｄ’／ｄ）もまた、本発明に従って使用され得ると理解されるべきである。
【００３３】
開示されたクリアランスシールアセンブリの顕著な利点の１つは、ハウジング部材２６、シール部材２５、第１のエラストマーシール２１および第２のエラストマーシール２２の組み合わせが、クリーニングおよび／または保守が必要なときに固定ケーシング２３から容易に取り外され得る自蔵型のモジュールを構成するということである。
【００３４】
米国特許第６，８４３，４８１号で開示されたように、流体シールは、可動部材と固定部材との間に、それらの間に直接的な接触が無く形成され得る。ギャップ３３のサイズは、流体がシールとピストンとの間のギャップを満たすことを許すが（それゆえ乾燥摩擦を回避する）、流体がギャップを通して流れるのを防止するように選択され得る。クリアランスギャップが十分に小さい場合、ピストンおよびシールへの流体の付着力は、動作圧力に起因して流体によって及ぼされる力よりも大きく、それゆえ流体がギャップを通して流れるのを防止する。
【００３５】
ギャップ３３の適正サイズの範囲は、粘度、表面張力、付着力、温度および動作圧力差などの、ポンプされる流体の物理的性質に依存する。低粘度の流体は、典型的には、高粘度の流体よりも小さいギャップ３３を要求する。一般的に、流体の粘度が高いほど、より広範囲のギャップ３３が使用され得る。１つの実施形態において、ギャップ３３は、約０．５ミクロンと約３．０ミクロンの間、より好ましくは約０．７５ミクロンと約２．０ミクロンの間、および最も好ましくは約１．０ミクロンと約１．５ミクロンの間の範囲のサイズを有する。ギャップのサイズは用途のタイプに大きく依存することもまた認識されるべきである。当業者は、本開示に照らして不適当な実験をすることなく、特定の用途において使用される流体および動作圧力に適応するためのギャップのサイズを選択し得る。
【００３６】
１つの実施形態において、流体は、例えば、リン酸緩衝食塩水溶液、リン酸緩衝液、ホウ酸緩衝液、クエン酸緩衝液、トリス緩衝液、ＭＯＰＳ緩衝液、ＰＩＰＥＳ緩衝液またはＨＥＰＥＳ緩衝液などの、水または緩衝水溶液を含む。緩衝水溶液の粘度は、好ましくは約０．３ｃＰ（３×１０−４Ｐａ・ｓ）と約２０ｃＰ（２×１０−２Ｐａ・ｓ）の間、より好ましくは約０．５ｃＰ（５×１０−４Ｐａ・ｓ）と約５ｃＰ（５×１０−３Ｐａ・ｓ）の間、および最も好ましくは約０．９ｃＰ（９×１０−４Ｐａ・ｓ）と約１．５ｃＰ（１．５×１０−３Ｐａ・ｓ）の間の範囲にある。しかしながら、他の適切な流体もまた本発明に従って使用され得ると理解されなければならない。
【００３７】
ポンプされる流体の温度は、好ましくは約１０℃と約９０℃の間、より好ましくは約１５℃と約６０℃の間、および最も好ましくは約２０℃と約３０℃の間の範囲にある。動作圧力差は、好ましくは約１０００ｋＰａ未満、より好ましくは約５００ｋＰａ未満、および最も好ましくは約３５０ｋＰａ未満である。しかしながら、他の適切な温度および動作圧力もまた本発明に従って使用され得ると理解されなければならない。
【００３８】
ピストン２４とシール部材２５との間に一様のギャップを維持するには、緊密に制御されたピストンの外壁３１の半径寸法とシール部材の内壁３４の半径寸法、および高いアセンブル精度を要求する。従って、クリティカルなギャップ３３の制御を簡便にするために、好ましい実施形態においては、内壁３４の断面および外壁３１の断面は実質的に円形の形状を有する。
【００３９】
高い硬さを有し、所望の高度の精度で機械加工され得る材料は、シール部材およびピストンを作製するのに使用され得、本開示に照らして、当業者には公知である。１つの実施形態において、シール部材はハウジング部材とは異なる材料で作製される。例えば、ピストンはセラミック材料で作製され得る一方、シール部材は例えばアクリルポリマーなどのポリマーで作製され得る。別の実施形態においては、シール部材はハウジング部材と同一の材料で作製される。例えば、シール部材とピストンの両方ともセラミック材料で作製され得る。
【００４０】
本発明はピストンポンプへの特別の言及とともに記載されているが、クリアランスシールの一般的特徴は、圧力チャンバー３０のような開口部を有する、ケーシング２３のような固定部材と、開口部を通して可動なように配置される、ピストン２４のような可動部材とを有する、いかなる装置においても利用され得ると認識されるべきである。一般的に言えば、固定部材は、ポンプの内側と外側など、開口部によって接続される固定部材の２つの側として言及された２つのボリューム（ｖｏｌｕｍｅ）を画定する限り、いかなる形状も有し得る。２つのボリュームは、異なる流体を含み得、および／または異なる圧力下（例えば、ポンプの内側の動作流体圧力とポンプの外側の大気圧）であり得る。
【００４１】
本発明は、その本質的特長から逸脱することなく、他の特定の形態において実施化され得る。記載された実施形態はあらゆる点において、限定的としてではなく単に例示的としてみなされるべきである。特許請求の範囲の均等物の意味および範囲内にあるあらゆる変更は、その範囲内に包含されるべきである。
【図１】
2011520073.tif 000003
【図２】
2011520073.tif 000004
【図３】
2011520073.tif 000005
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
セルフアライニングのクリアランスシールアセンブリであって、
該アセンブリは、
（ａ）第１の側、第２の側、および該第１の側と該第２の側とを接続する開口部を画定する固定ケーシングと、
（ｂ）外壁を有する往復運動部材であって、該往復運動部材は該開口部を通して可動なように配置される、往復運動部材と、
（ｃ）内壁を有するハウジング部材であって、該ハウジング部材は該ハウジング部材に凹部を形成する隆起部を有し、該ハウジング部材は該固定ケーシングと該往復運動部材との間に円周方向に配置される、ハウジング部材と、
（ｄ）内壁、外壁、上面および底面を有するシール部材であって、該シール部材は該ハウジング部材と該往復運動部材との間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該ハウジング部材の内壁および該シール部材の外壁は第１のギャップを画定し、
該第１のエラストマーシールは流体が該第１のギャップへ流れ込むのを防止し、
該第２のエラストマーシールは、圧縮される場合、該ハウジング部材の隆起部が該シール部材の底面に対して付勢するのを防止することを特徴とする、アセンブリ。
【請求項２】
請求項１に記載のセルフアライニングのクリアランスシールアセンブリであって、
前記シール部材は前記第１のエラストマーシールと前記第２のエラストマーシールとの間に浮遊し、前記往復運動部材とセルフアラインする、アセンブリ。
【請求項３】
請求項１に記載のセルフアライニングのクリアランスシールアセンブリであって、
前記シール部材の内壁および前記往復運動部材の外壁は、アセンブルされる場合、連続的かつ一様の第２のギャップを画定し、
該第２のギャップは、前記流体が該第２のギャップを満たすことを許すが、該流体が該第２のギャップを通して、前記開口部の前記第１の側と前記第２の側との間の動作圧力差下で該第１の側から該第２の側へ流れるのを防止するサイズを有し、
該第２のギャップのサイズは、該動作圧力差下で実質的に変化せず維持する、アセンブリ。
【請求項４】
請求項１に記載のセルフアライニングのクリアランスシールアセンブリであって、
前記第２のギャップは約０．７５ミクロンから約２．０ミクロンのサイズに及ぶ、アセンブリ。
【請求項５】
請求項１に記載のセルフアライニングのクリアランスシールアセンブリであって、
前記動作圧力差は約３５０ｋＰａ未満である、アセンブリ。
【請求項６】
請求項１に記載のセルフアライニングのクリアランスシールアセンブリであって、
前記第２のエラストマーシールは、圧縮されない本体部分の直径と圧縮された本体部分の直径とを有し、
該圧縮された直径の該圧縮されない直径に対する比は約０．６５から約０．８５に及ぶ、アセンブリ。
【請求項７】
請求項１に記載のセルフアライニングのクリアランスシールアセンブリであって、
前記ハウジング部材の隆起部は高さを有し、
前記第２のエラストマーシールは圧縮されない本体部分の直径を有し、
該高さの該圧縮されない直径に対する比は約０．５０から約０．７０に及ぶ、アセンブリ。
【請求項８】
ポンプ内に含まれる、請求項１に記載のセルフアライニングのクリアランスシールアセンブリ。
【請求項９】
ポンプであって、該ポンプは、
（ａ）流体を含むための圧力チャンバーを画定する内壁を有する固定ケーシングと、
（ｂ）外壁を有するピストンであって、該ピストンは該チャンバー内で可動なように配置される、ピストンと、
（ｃ）隆起部を有するハウジング部材であって、該隆起部は該ハウジング部材に凹部を形成し、該ハウジング部材は該固定ケーシングと該ピストンとの間に円周方向に配置される、ハウジング部材と、
（ｄ）内壁、外壁、上面および底面を有するシール部材であって、該シール部材は該ハウジング部材と該ピストンとの間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該シール部材は該第１のエラストマーシールと該第２のエラストマーシールとの間に浮遊し、該ピストンとセルフアラインすることを特徴とする、ポンプ。
【請求項１０】
前記シール部材はセラミック材料で作製される、請求項９に記載のポンプ。
【請求項１１】
前記流体は水または緩衝水溶液を含む、請求項９に記載のポンプ。
【請求項１２】
前記第１のエラストマーシールおよび前記第２のエラストマーシールはそれぞれ環状のエラストマーシール（Ｏリング）である、請求項９に記載のポンプ。
【請求項１３】
ポンプであって、該ポンプは、
（ａ）ハウジングであって、該ハウジングは往復運動部材を受容するサイズにされた内壁と該ハウジングの該内壁に配置された溝とを含み、該溝は上位面と下位面とを有する、ハウジングと、
（ｂ）上面と底面を含むシール部材であって、該シール部材は該溝内に配置される、シール部材と、
（ｃ）該溝の該上位面と該シール部材の該上面との間に配置される第１のエラストマーシールであって、該第１のエラストマーシールは該溝の該上位面と該シール部材の該上面との間に上位のギャップを形成するように構成される、第１のエラストマーシールと、
（ｄ）該溝の該下位面と該シール部材の該底面との間に配置される第２のエラストマーシールであって、該第２のエラストマーシールは該溝の該下位面と該シール部材の該底面との間に下位のギャップを形成するように構成される、第２のエラストマーシールと
を備え、
該シール部材は該第１のエラストマーシールと該第２のエラストマーシールとの間に浮遊し、該往復運動部材とセルフアラインすることを特徴とする、ポンプ。
【請求項１４】
請求項１３に記載のポンプであって、
前記溝は前記ハウジング内に円周方向に配置される後壁をさらに有し、
前記シール部材は外壁をさらに含み、
該溝の該後壁および該シール部材の該外壁は外側のギャップを画定し、
前記第１のエラストマーシールは流体が該外側のギャップへ流れ込むのを防止する、ポンプ。
【請求項１５】
請求項１３に記載のポンプであって、
前記往復運動部材はピストンであり、
該ピストンは外壁を含み、
該ピストンは前記ハウジングの内壁内に可動なように配置され、
前記シール部材は内壁をさらに含み、
該シール部材の該内壁および該ピストンの該外壁は、アセンブルされる場合、内側のギャップを画定し、
該内側のギャップは、流体が該内側のギャップを満たすことを許すが、該流体が該内側のギャップを通して、動作圧力差下で該ハウジングの一端から他端へ流れるのを防止するサイズを有する、ポンプ。
【請求項１６】
請求項１５に記載のポンプであって、前記内側のギャップは約０．７５ミクロンから約２．０ミクロンのサイズに及ぶ、ポンプ。
【請求項１７】
請求項１５に記載のポンプであって、前記動作圧力差は約３５０ｋＰａ未満である、ポンプ。
【請求項１８】
請求項１３に記載のポンプであって、
前記ハウジングは固定ケーシングおよびハウジング部材を含み、
該ハウジング部材は該固定ケーシングの内側に円周方向に配置され、
前記第１のエラストマーシールは前記シール部材の上面と該固定ケーシングとの間に装着され、
前記第２のエラストマーシールは前記シール部材の底面と該ハウジング部材との間に装着される、ポンプ。
【請求項１９】
請求項１８に記載のポンプであって、
前記ハウジング部材は該ハウジング部材に凹部を形成する隆起部を有し、
前記第２のエラストマーシールの圧縮されない本体部分の直径に対する、該ハウジング部材の該隆起部の高さの比は約０．５０から約０．７０に及ぶ、ポンプ。
【請求項２０】
請求項１３に記載のポンプであって、
前記第２のエラストマーシールの圧縮されない本体部分の直径に対する、該第２のエラストマーシールの圧縮される本体部分の直径の比は約０．６５から約０．８５に及ぶ、ポンプ。
【手続補正２】
【補正対象書類名】明細書
【補正対象項目名】００１４
【補正方法】変更
【補正の内容】
【００１４】
本発明はまた、シール部材の底面上への追加的なエラストマーシールの革新的な使用を通して、米国特許第６，８４３，４８１号で開示された先行のクリアランスシール設計の問題を克服する。この追加的なエラストマーシールの目的は、流体をシールするのではなく、両方のシールが協調してシール部材のためのサスペンションとして作用できるように、第１のエラストマーシールに対するカウンターバランスとして作用することである。これは、第１のエラストマーリングがシール部材と固定ケーシングとの間に流体が流れるのを防止するという機能を達成することを可能にする十分な圧力を第１のエラストマーリングに対して維持しながら、ハウジングの軸とシール部材の軸との間のアライメント不良に適応するのに十分に、シール部材が浮遊することを可能にする。シール部材が浮遊することができる距離は、シール部材が平常位置から離れて動くほど、より拘束力がシール部材へ及ぼされるので制限される。あまりに大きい動きはムラのある吐き出しの結果となるので、これは重要である。このセルフアライニングのクリアランスシール設計のテストは、米国特許第６，８４３，４８１号で開示されたオリジナルのクリアランスシール設計よりも機能性および信頼性における多大な改善を示した。例えば、困難な容積の吐き出しにおける初回合格品の量は、セルフアライニングのクリアランスシール設計の使用によって２８％から８８％へ改善した。
（項目１）
セルフアライニングのクリアランスシールアセンブリであって、
該アセンブリは、
（ａ）第１の側、第２の側、および該第１の側と該第２の側とを接続する開口部を画定する固定ケーシングと、
（ｂ）外壁を有する可動部材であって、該可動部材は該開口部を通して可動なように配置される、可動部材と、
（ｃ）内壁を有するハウジング部材であって、該ハウジング部材は該ハウジング部材に凹部を形成する隆起部を有し、該ハウジング部材は該固定ケーシングと該可動部材との間に円周方向に配置される、ハウジング部材と、
（ｄ）内壁、外壁、上面および底面を有するシール部材であって、該シール部材は該ハウジング部材と該可動部材との間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該ハウジング部材の内壁および該シール部材の外壁は第１のギャップを画定し、
該第１のエラストマーシールは流体が該第１のギャップへ流れ込むのを防止し、
該第２のエラストマーシールは、圧縮される場合、該ハウジング部材の隆起部が該シール部材の底面に対して付勢するのを防止する、アセンブリ。
（項目２）
請求項１に記載のセルフアライニングのクリアランスシールアセンブリであって、
前記シール部材は前記第１のエラストマーシールと前記第２のエラストマーシールとの間に浮遊し、前記可動部材とセルフアラインする、アセンブリ。
（項目３）
請求項１に記載のセルフアライニングのクリアランスシールアセンブリであって、
前記シール部材の内壁および前記可動部材の外壁は、アセンブルされる場合、連続的かつ一様の第２のギャップを画定し、
該第２のギャップは、前記流体が該第２のギャップを満たすことを許すが、該流体が該第２のギャップを通して、前記開口部の前記第１の側と前記第２の側との間の動作圧力差下で該第１の側から該第２の側へ流れるのを防止するサイズを有し、
該第２のギャップのサイズは、該動作圧力差下で実質的に変化せず維持する、アセンブリ。
（項目４）
請求項１に記載のセルフアライニングのクリアランスシールアセンブリであって、
前記第２のギャップは約０．７５ミクロンから約２．０ミクロンのサイズに及ぶ、アセンブリ。
（項目５）
請求項１に記載のセルフアライニングのクリアランスシールアセンブリであって、
前記動作圧力差は約３５０ｋＰａ未満である、アセンブリ。
（項目６）
請求項１に記載のセルフアライニングのクリアランスシールアセンブリであって、
前記第２のエラストマーシールは、圧縮されない本体部分の直径と圧縮された本体部分の直径とを有し、
該圧縮された直径の該圧縮されない直径に対する比は約０．６５から約０．８５に及ぶ、アセンブリ。
（項目７）
請求項１に記載のセルフアライニングのクリアランスシールアセンブリであって、
前記ハウジング部材の隆起部は高さを有し、
前記第２のエラストマーシールは圧縮されない本体部分の直径を有し、
該高さの該圧縮されない直径に対する比は約０．５０から約０．７０に及ぶ、アセンブリ。
（項目８）
ポンプ内に含まれる、請求項１に記載のセルフアライニングのクリアランスシールアセンブリ。
（項目９）
ポンプであって、該ポンプは、
（ａ）流体を含むための圧力チャンバーを画定する内壁を有する固定ケーシングと、
（ｂ）外壁を有するピストンであって、該ピストンは該チャンバー内で可動なように配置される、ピストンと、
（ｃ）隆起部を有するハウジング部材であって、該隆起部は該ハウジング部材に凹部を形成し、該ハウジング部材は該固定ケーシングと該ピストンとの間に円周方向に配置される、ハウジング部材と、
（ｄ）内壁、外壁、上面および底面を有するシール部材であって、該シール部材は該ハウジング部材と該ピストンとの間に円周方向に配置される、シール部材と、
（ｅ）該固定ケーシングと該シール部材の上面との間に配置される第１のエラストマーシールと、
（ｆ）該ハウジング部材と該シール部材の底面との間で該凹部内に配置される第２のエラストマーシールと
を備え、
該シール部材は該第１のエラストマーシールと該第２のエラストマーシールとの間に浮遊し、該ピストンとセルフアラインする、ポンプ。
（項目１０）
前記シール部材はセラミック材料で作製される、請求項９に記載のポンプ。
（項目１１）
前記流体は水または緩衝水溶液を含む、請求項９に記載のポンプ。
（項目１２）
前記第１のエラストマーシールおよび前記第２のエラストマーシールはそれぞれ環状のエラストマーシール（Ｏリング）である、請求項９に記載のポンプ。
（項目１３）
ポンプであって、該ポンプは、
ハウジングであって、該ハウジングは可動部材を受容するサイズにされた内壁と該ハウジングの該内壁に配置された溝とを含み、該溝は上位面と下位面とを有する、ハウジングと、
上面と底面を含むシール部材であって、該シール部材は該溝内に配置される、シール部材と、
該溝の該上位面と該シール部材の該上面との間に配置される第１のエラストマーシールであって、該第１のエラストマーシールは該溝の該上位面と該シール部材の該上面との間に上位のギャップを形成するように構成される、第１のエラストマーシールと、
該溝の該下位面と該シール部材の該底面との間に配置される第２のエラストマーシールであって、該第２のエラストマーシールは該溝の該下位面と該シール部材の該底面との間に下位のギャップを形成するように構成される、第２のエラストマーシールと
を備え、
該シール部材は該第１のエラストマーシールと該第２のエラストマーシールとの間に浮遊し、該可動部材とセルフアラインする、ポンプ。
（項目１４）
請求項１３に記載のポンプであって、
前記溝は前記ハウジング内に円周方向に配置される後壁をさらに有し、
前記シール部材は外壁をさらに含み、
該溝の該後壁および該シール部材の該外壁は外側のギャップを画定し、
前記第１のエラストマーシールは流体が該外側のギャップへ流れ込むのを防止する、ポンプ。
（項目１５）
請求項１３に記載のポンプであって、
前記可動部材はピストンであり、
該ピストンは外壁を含み、
該ピストンは前記ハウジングの内壁内に可動なように配置され、
前記シール部材は内壁をさらに含み、
該シール部材の該内壁および該ピストンの該外壁は、アセンブルされる場合、内側のギャップを画定し、
該内側のギャップは、流体が該内側のギャップを満たすことを許すが、該流体が該内側のギャップを通して、動作圧力差下で該ハウジングの一端から他端へ流れるのを防止するサイズを有する、ポンプ。
（項目１６）
請求項１５に記載のポンプであって、前記内側のギャップは約０．７５ミクロンから約２．０ミクロンのサイズに及ぶ、ポンプ。
（項目１７）
請求項１５に記載のポンプであって、前記動作圧力差は約３５０ｋＰａ未満である、ポンプ。
（項目１８）
請求項１３に記載のポンプであって、
前記ハウジングは固定ケーシングおよびハウジング部材を含み、
該ハウジング部材は該固定ケーシングの内側に円周方向に配置され、
前記第１のエラストマーシールは前記シール部材の上面と該固定ケーシングとの間に装着され、
前記第２のエラストマーシールは前記シール部材の底面と該ハウジング部材との間に装着される、ポンプ。
（項目１９）
請求項１８に記載のポンプであって、
前記ハウジング部材は該ハウジング部材に凹部を形成する隆起部を有し、
前記第２のエラストマーシールの圧縮されない本体部分の直径に対する、該ハウジング部材の該隆起部の高さの比は約０．５０から約０．７０に及ぶ、ポンプ。
（項目２０）
請求項１３に記載のポンプであって、
前記第２のエラストマーシールの圧縮されない本体部分の直径に対する、該第２のエラストマーシールの圧縮される本体部分の直径の比は約０．６５から約０．８５に及ぶ、ポンプ。
【国際調査報告】
2011520073.tif 000006
2011520073.tif 000007